(57)【要約】【課題】  動画や音声記録中に操作を行うと記録される動画や音声にボタン操作音が入ってしまう。【解決手段】  動画記録中、又は音声記録中にのみタッチパネルによる特定の操作支持を受け付ける。【選択図】  図３
2007214774.tif 000002
【特許請求の範囲】
【請求項１】
タッチパネルを操作指示部材として備える撮像装置において、動画記録中にのみタッチパネルによる特定の動作指示の受付の許可を行うことを特徴とする撮像装置。
【請求項２】
動画記録中にのみ静止画撮影の指示をタッチパネル操作より受け付ける事を特徴とする請求項１に記載の撮像装置。
【請求項３】
動画記録中にのみズーム操作の指示をタッチパネル操作より受け付ける事を特徴とする請求項１に記載の撮像装置。
【請求項４】
動画記録中にのみ受け付けるタッチパネルによる特定の動作指示が動画記録中以外には受付禁止された場合でも、同じ操作により他の動作指示の受け付けを許可することを特徴とする請求項１に記載の撮像装置。
【請求項５】
タッチパネルを操作指示部材として備える撮像装置において、音声記録中にのみタッチパネルによる特定の動作指示の受付の許可を行うことを特徴とする撮像装置。
【請求項６】
音声記録中にのみ静止画撮影の指示をタッチパネル操作より受け付ける事を特徴とする請求項5に記載の撮像装置。
【請求項７】
音声記録中にのみ受け付けるタッチパネルによる特定の動作指示が動画記録中以外には受付禁止された場合でも、同じ操作により他の動作指示の受け付けを許可することを特徴とする請求項5に記載の撮像装置。
【発明の詳細な説明】
【技術分野】
【０００１】
本発明は、画像データを撮影し記録する撮像装置に関係する。
【背景技術】
【０００２】
従来より、同一の動作指示を複数の操作部材で指示可能な撮像装置がある。例えば特許文献１には複数のレリーズボタンを備え、それぞれのレリーズボタンに対し撮影,モードをわりあてることのできる撮像装置が紹介されている。
【特許文献１】特開2004-053722号公報
【発明の開示】
【発明が解決しようとする課題】
【０００３】
しかしながら動画記録中や音声記録中に静止画撮影を行いたい場合や、動画記録中にズームの移動操作を指示したい場合などは、ボタンの操作音が動画の記録音声にはいってしまう可能性が高かった。
【課題を解決するための手段】
【０００４】
本発明に係る撮像装置に於いては、第１に動画記録中にのみタッチパネルによる特定の動作指示の受付の許可を行うことを特徴とする。
【０００５】
第２に動画記録中にのみ静止画撮影の指示をタッチパネル操作より受け付ける事を特徴とする。
【０００６】
第３に撮像装置は動画記録中にのみズーム操作の指示をタッチパネル操作より受け付ける事を特徴とする。
【０００７】
第４に動画記録中にのみ受け付けるタッチパネルによる特定の動作指示が動画記録中以外には受付禁止された場合でも、同じ操作により他の動作指示の受け付けを許可することを特徴とする。
【０００８】
第５に音声記録中にのみタッチパネルによる特定の動作指示の受付の許可を行うことを特徴とする。
【０００９】
第６に音声記録中にのみ静止画撮影の指示をタッチパネル操作より受け付ける事を特徴とする。
【００１０】
第７に音声記録中にのみ受け付けるタッチパネルによる特定の動作指示が動画記録中以外には受付禁止された場合でも、同じ操作により他の動作指示の受け付けを許可することを特徴とする。
【００１１】
上記手段により、ボタン操作時におとがしないタッチパネルを使用することにより、動画記録中や音声記録中に静止画撮影を行いたい場合や、動画記録中にズームの移動操作を指示したい場合などは、ボタンの操作音が動画の記録音声にはいってしまうことを回避することを可能とする。
【発明の効果】
【００１２】
以上の説明から容易に理解できるように、本発明によれば、第1に動画記録中にのみタッチパネルによる特定の動作指示を受け付つけることにより、動画記録中にもボタン操作音を動画に記録せずにカメラ操作を可能とする。
【００１３】
第２に動画記録中にのみ静止画撮影の指示をタッチパネル操作より受け付ける事により、動画記録中にもボタン操作音を動画に記録せずに静止画を撮影することを可能とする。
【００１４】
第３に動画記録中にのみズーム操作の指示をタッチパネル操作より受け付ける事により動画記録中にもボタン操作音を動画に記録せずにズーム操作を行うことを可能とする。
【００１５】
第４に動画記録中にのみ受け付けるタッチパネルによる特定の動作指示が動画記録中以外には受付禁止された場合でも、同じ操作により他の動作指示の受け付けを許可することにより、動画記録中以外にもタッチパネルを用いてカメラ設定や指示が行えるため撮像装置の使い勝手を向上させることを特徴とする。
【００１６】
第５に音声記録中にのみタッチパネルによる特定の動作指示を受けつけることにより、音声記録中にもボタン操作音を動画に記録せずにカメラ操作を可能とする。
【００１７】
第６に音声記録中にのみ静止画撮影の指示をタッチパネル操作より受け付ける事により、音声記録中にもボタン操作音を音声に記録せずに静止画を撮影することを可能とする。
【００１８】
第７に音声記録中にのみ受け付けるタッチパネルによる特定の動作指示が音声記録中以外には受付禁止された場合でも、同じ操作により他の動作指示の受け付けを許可することにより、音声記録中以外にもタッチパネルを用いてカメラ設定や指示が行えるため撮像装置の使い勝手を向上させることを特徴とする。
【００１９】
上述した手段により、動画や音声記録中でも撮像装置のボタン操作音が動画や音声に記録されずに操作でき、動画記録中以外には同じ操作による同じ指示を禁止することで誤操作を防ぎ、動画や音声記録中以外にはそのときに応じてタッチパネルで違った操作指示を受け付けることにより、撮像装置の操作性を向上させることが可能となる。
【発明を実施するための最良の形態】
【００２０】
次に、本発明の詳細を実施例の記述に従って説明する。
【００２１】
以下、図面を参照して本発明の実施例を説明する。
【実施例１】
【００２２】
図１は、本発明の実施例の構成を示す図である。
【００２３】
図1において、１００は画像の可能な撮像装置である。
【００２４】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２５】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２６】
２０は画像処理回路であり、 Ａ／Ｄ変換器１６からのデータ或いはメモリ制御回路２２からのデータに対して所定の画素補間処理や色変換処理を行う。オリジナル画像から画像処理パラメータ変換画像の処理もここで行われる。
【００２７】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２８】
さらに、画像処理回路２０においては、撮像した画像データを用いて所定の演算処理を行い、得られた演算結果に基づいてTTL方式のAWB（オートホワイトバランス）処理も行っている。
【００２９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３１】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００３２】
画像表示部２８を用いて撮像した画像データを逐次表示すれば、電子ファインダー機能を実現することが可能である。
【００３３】
また、画像表示部２８は、システム制御回路５０の指示により任意に表示をON/OFFすることが可能であり、表示をOFFにした場合には撮像装置１００の電力消費を大幅に低減することが出来る。
【００３４】
３０は撮影した静止画像や動画像を格納するためのメモリであり、所定枚数の静止画像や所定時間の動画像を格納するのに十分な記憶量を備えている。
【００３５】
これにより、複数枚の静止画像を連続して撮影する連射撮影やパノラマ撮影の場合にも、大量の画像書き込みをメモリ３０に対して行うことが可能となる。
【００３６】
また、メモリ３０はシステム制御回路５０の作業領域としても使用することが可能である。
【００３７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３８】
４０は絞り機能を備えるシャッター１２を制御する露光制御手段であり、フラッシュ４８と連携することによりフラッシュ調光機能も有するものである。
【００３９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４０】
４８はフラッシュであり、AF補助光の投光機能、フラッシュ調光機能も有する。
【００４１】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００４２】
５０は撮像装置１００全体を制御するシステム制御回路、５２はシステム制御回路５０の動作用の定数、変数、プログラム等を記憶するメモリである。
【００４３】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。
【００４４】
また、表示部５４は、その一部の機能が光学ファインダー１０４内に設置されている。
【００４５】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示や記録メニュー等がある。
【００４６】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４７】
５６は電気的に消去・記録可能な不揮発性メモリであり、例えばEEPROM等が用いられる。
【００４８】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４９】
ここで、これらの操作手段の具体的な説明を行う。
【００５０】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００５１】
６２はシャッタースイッチＳW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００５２】
６４はシャッタースイッチＳW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５３】
６６は画像表示ON/OFFスイッチで、画像表示部２８のON/OFFを設定することが出来る。
【００５４】
この機能により、光学ファインダー１０４を用いて撮影を行う際に、TFT LCD等から成る画像表示部への電流供給を遮断することにより、省電力を図ることが可能となる。
【００５５】
６８は角度検出センサであり、撮像装置が水平状態にいるのか、縦に回転されているのかを検出する。
【００５６】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５７】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５８】
８２はコネクタ、８４はコネクタ、８６はアルカリ電池やリチウム電池等の一次電池やNiCd電池やNiMH電池、Li電池等の二次電池、ACアダプター等からなる電源手段である。
【００５９】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６０】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６１】
インターフェース及びコネクタとしては、PCMCIAカードやメモリカード等の規格に準拠したものを用いて構成して構わない。
【００６２】
さらに、インターフェース９０及び９４、そしてコネクタ９２及び９６をPCMCIAカードやメモリカード等の規格に準拠したものを用いて構成した場合、LANカードやモデムカード、UＳBカード、IEEE1394カード、P1284カード、ＳCＳIカード、PHＳ等の通信カード、等の各種通信カードを接続することにより、他のコンピュータやプリンタ等の周辺機器との間で画像データや画像データに付属した管理情報を転送し合うことが出来る。
【００６３】
１０２は、撮像装置１００のレンズ１０を含む撮像部を覆う事により、撮像部の汚れや破損を防止するバリアである保護手段である。
【００６４】
１０４は光学ファインダであり、画像表示部２８による電子ファインダ機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６５】
１１０は通信手段で、RＳ232CやUＳB、IEEE1394、P1284、ＳCＳI、モデム、LAN、無線通信、等の各種通信機能を有する。
【００６６】
１１２は通信手段１１０により撮像装置１００を他の機器と接続するコネクタ或いは無線通信の場合はアンテナである。
【００６７】
２００はメモリカードやハードディスク等の記録媒体である。
【００６８】
記録媒体２００は、半導体メモリや磁気ディスク等から構成される記録部２０２、撮像装置１００とのインターフェース２０４、撮像装置１００と接続を行うコネクタ２０６を備えている。
【００６９】
２１０はメモリカードやハードディスク等の記録媒体である。
【００７０】
記録媒体２１０は、半導体メモリや磁気ディスク等から構成される記録部２１２、撮像装置１００とのインターフェース２１４、撮像装置１００と接続を行うコネクタ２１６を備えている。
【００７１】
図2は、本発明の実施例の撮像装置の７０操作部の図である。
【００７２】
７０１は電源ボタンでボタンを押すことにより撮像装置の電源の入り切りができる。７０２はレリーズスイッチで、２段階に押し込むことができ、１段階目まで押し込むと、AF（オートフォーカス）処理、AE（自動露出）処理を行い、２段階目まで押す静止画像の取り込み、または動画像の記録を開始する。７０３はタッチパネルで、メニュー選択の際に選択枠をパネルになぞった方向に移動させるなどの指示を受け付ける。７０４は決定ボタンで、撮影条件などを選択後決定するときに押すボタンである。705はメニューボタンで、カメラ設定などのメニュー画面を表示・非表示させる際に押すボタンである。54は図１に示す表示部で、液晶表示装置である。
【００７３】
図３乃至図４を参照して実施例の動作を説明する。
【００７４】
図３は本発明の実施例のフローチャートである。
【００７５】
図３に沿って本発明の一例である撮像素装置の動作の説明をする。ユーザーによるタッチパネルが操作された際にS３０１に進み動画記録中かどうかを判断する。動画記録中であったらＳ３０２に進み静止画撮影を行い再び動画記録を行う。また、動画記録中以外であったらＳ３０３に進み、メニュー表示中かどうかを判定する。メニュー表示とはカメラ設定に関する設定画面のことで、カメラ設定に関する一覧が表示されている。メニュー表示画面の一例を図４に示す。このようなメニュー画面が表示されていない場合はＳ３０４に進み、タッチパネル操作によるカメラ動作を禁止する。メニュー画面が表示されている場合はユーザーがタッチパネルにより指示した操作を検知し、指のなぞりが円に沿って右回りであったら（Ｓ３０５）Ｓ３０６に進みメニュー画面の選択されているメニューバーを下方向に移動し、左回りであったら（Ｓ３０７）Ｓ３０８に進みメニュー画面の選択されているメニューバーを上方向に移動する。また、それ以外の動作を検知した場合は何もしない。
【００７６】
以上図２から図４を用いて本発明の実施例の説明を行った。
【００７７】
上記の実施例のように動画撮影中のタッチパネル操作は静止画撮影を指示するものになり、メニュー画面が表示されているときはメニュー選択のための指示をするものになり、それ以外においては指示を受け付けなくすることにより、動画記録中に静止画を撮影した場合でもボタン操作の音がはいることなく、また、タッチパネルが状況に応じてユーザーの使いやすいような指示手段となる。
【００７８】
尚、上記実施例以外にも、動画記録中にタッチパネルに指が触れたと検知された場合はレリーズボタンの１段押しに相当するＡＦ、ＡＥ処理を行い、指でパネルをなぞった場合は画像取り込み処理を開始するなどしてもよい。その他に動画記録中にタッチパネルを指である回転方向になぞられたと検知したらその回転方向によって光学ズームや電子ズームを操作しても構わない。
【図面の簡単な説明】
【００７９】
【図１】本発明の一実施例の構成ブロック図である。
【図２】本実施例の撮像装置の外観図である。
【図３】本実施例のフローチャートである。
【図４】本実施例のメニュー画面の例である。
【符号の説明】
【００８０】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳW1
６４  シャッタースイッチＳW2
６６  画像表示ON/OFFスイッチ
６８  角度検出センサ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  撮像装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
７０１  電源スイッチ
７０２  レリーズスイッチ
７０３  タッチパネル
７０４  決定ボタン
７０５  取り消しボタン
【図１】
2007214774.tif 000003
【図２】
2007214774.tif 000004
【図３】
2007214774.tif 000005
【図４】
2007214774.tif 000006